【手続補正書】
【提出日】平成27年4月8日(2015.4.8)
【手続補正１】
【補正対象書類名】特許請求の範囲
【補正対象項目名】全文
【補正方法】変更
【補正の内容】
【特許請求の範囲】
【請求項１】
フォーカシングレンズを含む光学系で結像した被写体の像を撮像する撮像光学系であって、リフォーカス画像を再構成することが可能な画像データを取得する撮像光学系で取得された前記画像データに基づいて、所定の被写体を検出する被写体検出手段と、前記撮像光学系で取得された前記画像データから、リフォーカス範囲に含まれる任意の焦点距離に前記リフォーカス画像を再構成するリフォーカス画像生成手段とを備える撮像装置において、
前記フォーカシングレンズの合焦状態の調整範囲の任意の位置で前記リフォーカス画像を再構成可能とするための前記画像データを取得するために前記フォーカシングレンズを駆動する位置を、前記リフォーカス範囲に基づいて決定する位置決定手段と、
前記位置決定手段で決定された位置に従って前記フォーカシングレンズおよび前記撮像光学系を制御して前記画像データを取得する制御手段
とを備え、
前記被写体検出手段は、前記制御手段が前記フォーカシングレンズおよび前記撮像光学系を制御して取得した前記画像データに基づいて、前記所定の被写体を検出することを特徴とする撮像装置。
【請求項２】
前記位置決定手段は、前記合焦状態の調整範囲を前記リフォーカス範囲の間隔で前記フォーカシングレンズを駆動したときの駆動位置として決定し、この場合、各駆動位置に対応する前記リフォーカス範囲は重ならず、かつ前記合焦状態の調整範囲を網羅することを特徴とする請求項１に記載の撮像装置。
【請求項３】
前記位置決定手段は、前記合焦状態の調整範囲を、前記リフォーカス範囲の両端をそれぞれ被写界深度の分だけ広げた範囲の間隔で前記フォーカシングレンズを駆動したときの駆動位置として決定し、この場合、各駆動位置に対応する広げられた前記リフォーカス範囲は互いに重ならず、かつ前記合焦状態の調整範囲を網羅することを特徴とする請求項１に記載の撮像装置。
【請求項４】
前記被写体検出手段は、前記制御手段による前記フォーカシングレンズおよび前記撮像光学系の制御によって取得された前記画像データおよび当該画像データからリフォーカス画像生成手段によって再構成された前記リフォーカス画像のそれぞれから前記所定の被写体を検出すること特徴とする請求項１乃至３のいずれか一項に記載の撮像装置。
【請求項５】
前記制御手段は、前記リフォーカス範囲および検出された前記所定の被写体に基づいて、前記検出された所定の被写体を撮像するための前記フォーカシングレンズの駆動位置を決定し、前記検出された所定の被写体を撮像するための前記フォーカシングレンズの駆動位置に従って、前記フォーカシングレンズおよび前記撮像光学系を制御することを特徴とする請求項１乃至４のいずれか一項に記載の撮像装置。
【請求項６】
前記制御手段は、前記被写体検出手段が異なる位置の複数の被写体を検出した場合は、検出された前記複数の被写体の位置を又は最大限の数の被写体の位置を含む前記リフォーカス範囲を与える前記フォーカシングレンズの駆動位置を、前記検出された所定の被写体を撮像するための前記フォーカシングレンズの駆動位置として決定することを特徴とする請求項５に記載の撮像装置。
【請求項７】
前記制御手段は、前記検出された複数の被写体の最大限の数の被写体の位置を含む前記リフォーカス範囲を与える前記フォーカシングレンズの駆動位置を、前記検出された所定の被写体を撮像するための前記フォーカシングレンズの駆動位置として決定したときは、当該リフォーカス範囲に含まれない所定の被写体の画像を、前記リフォーカス画像生成手段を制御して前記リフォーカス画像として再構成することを特徴とする請求項６に記載の撮像装置。
【請求項８】
前記被写体検出手段は、前記所定の被写体として人物の顔を検出することを特徴とする請求項１乃至７のいずれか一項に記載の撮像装置。
【請求項９】
前記被写体検出手段は、前記人物の距離および前記人物の前記顔のサイズを検出し、前記制御手段は、検出された前記距離および前記顔の前記サイズに基づいて検出された前記所定の被写体を撮像するための前記フォーカシングレンズの駆動位置を決定することを特徴とする請求項８に記載の撮像装置。
【請求項１０】
前記制御手段は、前記被写体検出手段が前記所定の被写体を検出しなかったときは、前記フォーカシングレンズの合焦状態の調整で得られる測距情報に基づいて前記フォーカシングレンズの駆動位置を決定することを特徴とする請求項１乃至９のいずれか一項に記載の撮像装置。
【請求項１１】
フォーカシングレンズを含む光学系で結像した被写体の像を撮像する撮像光学系であって、リフォーカス画像を再構成することが可能な画像データを取得する撮像光学系で取得された画像データに基づいて、所定の被写体を検出する被写体検出手段と、前記撮像光学系で取得された前記画像データから、リフォーカス範囲に含まれる任意の焦点距離に前記リフォーカス画像を再構成するリフォーカス画像生成手段とを備える撮像装置の制御方法において、
前記フォーカシングレンズの合焦状態の調整範囲の任意の位置で前記リフォーカス画像を再構成可能とするための前記画像データを取得するために前記フォーカシングレンズを駆動する位置を、前記リフォーカス範囲に基づいて決定する位置決定ステップと、
前記位置決定ステップで決定された位置に従って前記フォーカシングレンズおよび前記撮像光学系を制御して前記画像データを取得する制御ステップとを備え、
前記被写体検出手段は、前記制御ステップにおいて前記フォーカシングレンズおよび前記撮像光学系を制御して取得した前記画像データに基づいて、前記所定の被写体を検出することを特徴とする制御方法。
【請求項１２】
フォーカシングレンズを含む光学系で結像した被写体の像を撮像する撮像光学系であって、リフォーカス画像を再構成することが可能な画像データを取得する撮像光学系で取得された画像データに基づいて、所定の被写体を検出する被写体検出手段、前記撮像光学系で取得された前記画像データから、リフォーカス範囲に含まれる任意の焦点距離に前記リフォーカス画像を再構成するリフォーカス画像生成手段とを備える撮像装置を制御するプログラムにおいて、
コンピュータを、
前記フォーカシングレンズの合焦状態の調整範囲の任意の位置で前記リフォーカス画像を再構成可能とするための前記画像データを取得するために前記フォーカシングレンズを駆動する位置を、前記リフォーカス範囲に基づいて決定する位置決定手段、
前記位置決定手段で決定された位置に従って前記フォーカシングレンズおよび前記撮像光学系を制御して前記画像データを取得する制御手段、
前記制御手段により前記フォーカシングレンズおよび前記撮像光学系を制御して取得された画像データに基づいて、前記所定の被写体を検出する前記被写体検出手段として機能させることを特徴とするプログラム。
【請求項１３】
請求項１２のプログラムを記録したコンピュータが読み取り可能な記録媒体。
【請求項１４】
コンピュータを、請求項１乃至１０のいずれか一項に記載された撮像装置の各手段として機能させるプログラム。
【請求項１５】
コンピュータを、請求項１乃至１０のいずれか一項に記載された撮像装置の各手段として機能させるプログラムを格納した記憶媒体。
【手続補正２】
【補正対象書類名】明細書
【補正対象項目名】０００８
【補正方法】変更
【補正の内容】
【０００８】
本発明の一態様によれば、フォーカシングレンズを含む光学系で結像した被写体の像を撮像する撮像光学系であって、リフォーカス画像を再構成することが可能な画像データを取得する撮像光学系で取得された前記画像データに基づいて、所定の被写体を検出する被写体検出手段と、撮像光学系で取得された画像データから、リフォーカス範囲に含まれる任意の焦点距離にリフォーカス画像を再構成するリフォーカス画像生成手段とを備える撮像装置であって、フォーカシングレンズの合焦状態の調整範囲の任意の位置で前記リフォーカス画像を再構成可能とするための画像データを取得するためにフォーカシングレンズを駆動する位置を、リフォーカス範囲に基づいて決定する位置決定手段と、位置決定手段で決定された位置に従ってフォーカシングレンズおよび撮像光学系を制御して画像データを取得する制御手段とを備え、被写体検出手段は、制御手段がフォーカシングレンズおよび撮像光学系を制御して取得した画像データに基づいて、所定の被写体を検出することを特徴とする撮像装置が提供される。